(57)【要約】  【課題】  模様を構成する複数の針落ち点の入力操作の簡単化を図り、しかも縫製データ作成の簡単化を図ること。  【解決手段】    ディスプレイ１０上にタッチパネル１１が設けられているので、ディスプレイ１０にマイイラスト作成画面が表示されたとき、タッチペン入力が可能な場合に、タッチ入力マーク５１が点灯され、キャンパス５０が縦向きに表示される。タッチペンを押圧操作して、模様の針落ち点を順々にプロットすると、そのプロットした各々の位置が針落ち点とし入力され、その針落ち点の位置データが作成模様データメモリに記憶されるとともに、模様をディスプレイに表示させる表示データが作成表示データメモリに記憶される。【選択図】  図１２
2006043231.tif 000002
【特許請求の範囲】
【請求項１】
針振り動作を介して実用模様を縫製可能な縫製機構と、ディスプレイを含む操作手段とを有するミシンの模様データ作成装置において、
前記ディスプレイに設けられタッチペンにて任意の模様の針落ち点を入力可能なタッチパネルと、
前記タッチパネルに入力された前記模様の針落ち点の位置データを順次演算して模様データを作成する模様データ作成手段と、
前記模様データ作成手段で作成された針落ち点の位置データから、前記タッチパネルを介して入力された模様を前記ディスプレイに表示させる表示データを作成する表示データ作成手段と、
を備えたことを特徴とするミシンの模様データ作成装置。
【請求項２】
前記タッチパネルは、抵抗感圧アナログ検出方式のタッチパネルであることを特徴とする請求項１に記載のミシンの模様データ作成装置。
【請求項３】
前記模様データ作成手段で作成された模様データを記憶する模様データ記憶手段と、前記表示データ作成手段で作成された表示データを記憶する表示データ記憶手段とを備えたことを特徴とする請求項１又は２に記載のミシンの模様データ作成装置。
【請求項４】
前記ディスプレイに模様入力エリアを表示させると共にその模様データ入力エリアの外縁に寸法目盛りを表示させる模様入力制御手段を設けたことを特徴とする請求項１〜３の何れかに記載のミシンの模様データ作成装置。
【請求項５】
前記操作手段は、前記模様入力エリアを拡大させる指令を前記模様入力制御手段に入力する拡大指令入力部と、前記模様入力エリアを縮小させる指令を前記模様入力制御手段に入力する縮小指令入力部とを有することを特徴とする請求項１〜４の何れかに記載のミシンの模様データ作成装置。
【請求項６】
前記模様入力制御手段は、前記模様入力エリアの針振り方向の幅を、針振り可能幅に対応させて表示させることを特徴とする請求項１〜５の何れかに記載のミシンの模様データ作成装置。
【請求項７】
前記ミシンの脚柱部の表面部のうちの前記操作手段の近くの部位に、前記タッチペンを差し置き可能なペン保管部と、前記タッチペン使用時に点灯又は点滅する発光部とを設けたことを特徴とする請求項１〜６の何れかに記載のミシンの模様データ作成装置。
【発明の詳細な説明】
【技術分野】
【０００１】
本発明は、ミシンの模様データ作成装置に関し、特にディスプレイ上に設けたタッチパネルを押圧操作して、所望の模様を縫製する為の針落ち点を入力できるようにしたものに関する。
【背景技術】
【０００２】
従来、縫製機構を有する電子制御ミシン等においては、制御装置のＲＯＭに予め内蔵した多数の縫製模様のための縫製データのうちから所望の１つを選択的に読み出し、或いは外部メモリであるＲＯＭカードから読み込んだ模様の縫製データを用いる等して、所望の模様を縫製できるようにしてある。
【０００３】
ところで、最近の電子制御ミシンには、脚柱部に大型のディスプレイが設けられるとともに、そのディスプレイ上に設けたタッチパネルを用いて、模様や図柄を構成する多数の針落ち点を順次入力することにより、所望の模様や図柄を入力できるようにし、入力された模様の為の模様データ（縫製データ）を自動的に作成する模様データ作成装置が種々提案されている。
【０００４】
例えば、特許文献１の縫製データ作成装置は、脚柱部の前面に液晶ディスプレイを設け、その液晶ディスプレイの前面に透明電極からなるタッチキーを設け、液晶ディスプレイに表示された縫製データ作成画面には、縫製領域表示部と、鉛筆状のカーソルを上下左右方向へ移動させるカーソル移動キーや各種の機能キー等が表示されるので、カーソル移動キーの操作により縫製領域表示部上のカーソルを移動させながら、縫製に供する所望の模様のための複数の針落ち点を順々に入力し、これら入力された複数の針落ち点のデータにより、任意の模様を縫製できるようにしてある。
【特許文献１】特開２００１−３８０７６号公報  （第４〜５頁、図１〜図４）
【発明の開示】
【発明が解決しようとする課題】
【０００５】
前記特許文献１に記載の縫製データ作成装置においては、縫製に供する模様の各針落ち点を、カーソル移動キーの操作によりカーソルを上下左右に移動させながら入力指示するので、次の針落ち点を順々に指示するために、上下左右のカーソル移動キーを組み合わせて複数回操作しなければならず、カーソルキー操作が複雑化するとともに、操作性に劣ること、針落ち点入力に多大の操作時間を要すること、等の問題がある。
【課題を解決するための手段】
【０００６】
請求項１に係るミシンの模様データ作成装置は、針振り動作を介して実用模様を縫製可能な縫製機構と、ディスプレイを含む操作手段とを有するミシンの模様データ作成装置において、ディスプレイに設けられタッチペンにて任意の模様の針落ち点を入力可能なタッチパネルと、タッチパネルに入力された模様の針落ち点の位置データを順次演算して模様データを作成する模様データ作成手段と、模様データ作成手段で作成された針落ち点の位置データから、タッチパネルを介して入力された模様をディスプレイに表示させる表示データを作成する表示データ作成手段とを備えたものである。
【０００７】
請求項２に係るミシンの模様データ作成装置は、請求項１の発明において、前記タッチパネルを、抵抗感圧アナログ検出方式のタッチパネルで構成したものである。
【０００８】
請求項３に係るミシンの模様データ作成装置は、請求項１又は２の発明において、前記模様データ作成手段で作成された模様データを記憶する模様データ記憶手段と、表示データ作成手段で作成された表示データを記憶する表示データ記憶手段とを備えたものである。
【０００９】
請求項４に係るミシンの模様データ作成装置は、請求項１〜３の何れかの発明において、前記ディスプレイに模様入力エリアを表示させると共にその模様データ入力エリアの外縁に寸法目盛りを表示させる模様入力制御手段を設けたものである。
【００１０】
請求項５に係るミシンの模様データ作成装置は、請求項１〜４の何れかの発明において、前記操作手段は、模様入力エリアを拡大させる指令を模様入力制御手段に入力する拡大指令入力部と、模様入力エリアを縮小させる指令を模様入力制御手段に入力する縮小指令入力部とを有するものである。
【００１１】
請求項６に係るミシンの模様データ作成装置は、請求項１〜５の何れか発明において、前記模様入力制御手段は、模様入力エリアの針振り方向の幅を、針振り可能幅に対応させて表示させるものである。
【００１２】
請求項７に係るミシンの制模様データ作成置は、請求項１〜６の何れかの発明において、前記ミシンの脚柱部の表面部のうちの操作手段の近くの部位に、タッチペンを差し置き可能なペン保管部と、タッチペン使用時に点灯又は点滅する発光部とを設けたものである。
【発明の効果】
【００１３】
請求項１の発明によれば、実用模様を縫製可能な縫製機構と、ディスプレイを含む操作手段とを有するミシンの模様データ作成装置において、タッチパネルと、模様データ作成手段と、表示データ作成手段とを設けたので、針落ち点をタッチパネル上で押圧指示するだけで入力できるため、模様を構成する複数の針落ち点の入力操作の簡単化を図ることができる。更に、模様の針落ち点を入力すると、針落ち点の位置データから模様データを自動的に作成することができる。しかも、針落ち点の位置データから表示データを自動的に作成することができ、入力模様のディスプレイへの表示も行うことができる。
【００１４】
請求項２の発明によれば、前記タッチパネルは、抵抗感圧アナログ検出方式のタッチパネルであるので、タッチパネルの薄型化や軽量化、更には低コスト化を図ることができる。その他請求項１と同様の効果を奏する。
【００１５】
請求項３の発明によれば、前記模様データ作成手段で作成された模様データを記憶する模様データ記憶手段と、表示データ作成手段で作成された表示データを記憶する表示データ記憶手段とを備えたので、作成した模様の模様データや表示データを夫々専用の記憶手段に確実に記憶しておくことができるため、必要に応じて読み出した表示データに基づく模様の表示を可能にでき、しかも、読み出した模様データに基づく模様の縫製を可能にすることができる。その他請求項１又は２と同様の効果を奏する。
【００１６】
請求項４の発明によれば、前記ディスプレイに模様入力エリアを表示させると共にその模様データ入力エリアの外縁に寸法目盛りを表示させる模様入力制御手段を設けたので、模様データ入力エリアに入力する模様の大きさを、模様データ入力エリアや寸法目盛りに基づいて、容易に確認することができる。その他請求項１〜３の何れかと同様の効果を奏する。
【００１７】
請求項５の発明によれば、前記操作手段は、前記模様入力エリアを拡大させる指令を模様入力制御手段に入力する拡大指令入力部と、模様入力エリアを縮小させる指令を模様入力制御手段に入力する縮小指令入力部とを有するので、入力する模様のサイズに応じて、拡大指令入力部により模様入力エリアを拡大でき、又は縮小指令入力部により模様入力エリアを縮小でき、模様の大小に関わらず模様を入力する際の操作性を高めることができる。その他請求項１〜４の何れかと同様の効果を奏する。
【００１８】
請求項６の発明によれば、前記模様入力制御手段は、模様入力エリアの針振り方向の幅を、針振り可能幅に対応させて表示させるので、模様の針振り側の幅寸法を、ディスプレイ上で容易に認識することができ、模様を入力する際の操作性を高めることができる。その他請求項１〜５の何れかと同様の効果を奏する。
【００１９】
請求項７の発明によれば、前記ミシンの脚柱部の表面部のうちの操作手段の近くの部位に、タッチペンを差し置き可能なペン保管部と、タッチペン使用時に点灯又は点滅する発光部とを設けたので、タッチペンを常にはペン保管部に保管しておくことができ、タッチペンを使用する際には、発光部の点灯又は点滅により容易に認識することができる。その他請求項１〜６の何れかと同様の効果を奏する。
【発明を実施するための最良の形態】
【００２０】
本実施形態におけるミシンの模様データ作成装置は、脚柱部の前面に液晶ディスプレイを設けるとともに、その液晶ディスプレイの前面にタッチパネルを設け、タッチパネルに表示されたキャンパス内部をタッチペンで順次押圧操作するだけで、模様の針落ち点の位置データを順々に入力できるようにしてある。
【実施例】
【００２１】
先ず、電子制御ミシン（以下、単にミシンと言う）Ｍについて簡単に説明する。図１に示すように、このミシンＭは、一般的な家庭用の電子制御ミシンと同様のもので、ベッド部１と、ベッド部１の右端部から立設された脚柱部２と、脚柱部２の上端からミシンベッド部１に対向するように左方へ延びるアーム部３を有する。
【００２２】
ベッド部１の針板１ａの下側には、送り歯を上下動させる送り歯上下動機構（図示略）及び前後動させる送り歯前後動機構（図示略）に加えて、下糸ボビンを収容し縫針６と協働する全回転釜（図示略）、糸切り機構（図示略）等が設けられている。
【００２３】
脚柱部２の前面には、大型でカラーの液晶ディスプレイ（以下、単にディスプレイという）１０が設けられ、このディスプレイ１０には、実用的模様の種々の縫目模様、縫製作業に必要な各種の機能を実行させる機能名、更には各種のメッセージ等が表示される。このミシンＭにより、布送りと針振りとを組み合わせて、直線縫いやジグザグ縫いの実用模様だけでなく、後述するように、ユーザーが作成した文字模様、飾り模様等の種々のイラスト模様を縫製できるようになっている。
【００２４】
ディスプレイ１０の前面には、抵抗感圧アナログ検出方式の透明なタッチパネル１１が設けられている。それ故、縫製に供する模様の選択や機能の指示、更には後述するように、タッチペン８でタッチパネル１１を押圧操作することにより、模様の針落ち点を順々に入力できるようになっている。
【００２５】
ここで、抵抗感圧アナログ検出方式について簡単に説明しておくと、印刷や蒸着等により薄いフィルムやガラス基材に膜付けされた抵抗体から作成した上部電極と下部電極とを対向状に配設し、指やペン等による押圧操作した場合、その押圧により導通した位置の電圧から、押圧位置を検出するようになっている。それ故、タッチパネル１１の薄型化や軽量化、更には低コスト化を図ることができる。
【００２６】
脚柱部２の側面には、図２に示すように、タッチパネル１１を押圧操作するためのタッチペン８を差し置きするペン保管部２ａが縦向きに設けられている。それ故、常には、タッチペン８をそのペン保管部２ａに差し込んで保管しておけるので、紛失することがない。使用に際しては、ユーザーが指で摘んで取り外し可能になっている。更に、ディスプレイ１０の下側には、ＬＥＤからなるタッチペンランプ９（これが発光部に相当する）が設けられており、タッチペン８の使用可能なとき限って、点灯するようになっている。
【００２７】
アーム部３には、ミシンモータ３０（図２参照）で回転駆動される左右方向向きのミシン主軸（図示略）と、このミシン主軸を作業者により手動で回転操作可能なハンドプーリ４と、下端に縫針６を装着した針棒５を上下動させる針棒駆動機構と、針棒５を布送り方向と直交する方向に揺動させる針棒揺動機構（図示略）と、天秤を針棒５の上下動に調時して上下動させる天秤駆動機構（図示略）等が設けられている。
【００２８】
アーム部３の前面側には、縫製作業の起動と停止を指令する起動停止スイッチ７等、各種のスイッチが設けられている。尚、送り歯上下動機構と針棒上下動機構とは、ミシンモータ３０で回転されるミシン主軸に連動して駆動されるが、針棒揺動機構は針棒揺動用ステッピングモータ３１（図３参照）で駆動され、送り歯前後動機構は送り歯前後駆動用ステッピングモータ３２（図３参照）で駆動される。
【００２９】
次に、ミシンＭの制御系について説明すると、図３に示すように、制御装置１５は、入力インターフェース１６と、ＣＰＵ１７とＲＯＭ１８及びＲＡＭ１９と電気的に書換え可能な不揮発性のフラッシュメモリ２０とを含むコンピュータと、出力インターフェース２１と、これらを相互に接続するデータバス等のバス２２と、駆動回路２３〜２６等を有する。
【００３０】
フラッシュメモリ２０には、後述する模様データ作成制御により作成された模様データや表示データが模様毎に区別して格納される。入力インターフェース１６には、起動停止スイッチ７と、タッチパネル１１と、ミシン主軸の回転位置を検出する回転位置検出センサ２８等が接続されている。出力インターフェース２１には、これらモータ３０〜３２の為の駆動回路２３〜２５と、タッチペンランプ９を点灯駆動する駆動回路２６、ディスプレイ（ＬＣＤ）１０の為のディスプレイコントローラ（ＬＣＤＣ）３４等が接続されている。
【００３１】
ＲＯＭ１８には、各種の駆動機構を駆動制御するとともに、実用模様を選択する模様選択制御や各種の表示制御を含む縫製制御プログラムに加えて、後述する本願特有の模様データ作成制御の制御プログラム等が予め格納されている。尚、模様データメモリ１８ａには、図６に示すように、複数の実用模様を縫製する模様データ及び模様の表示データが模様毎に区別して記憶されている。
【００３２】
ＲＡＭ１９には、縫製に供する模様データが模様データメモリ１８ａから読み込まれて記憶する縫製用模様データメモリと、ＣＰＵ１７で演算処理した演算結果を収容する各種メモリ、ポインタ、カウンタ等が必要に応じて設けられている。ＲＡＭ１９には更に、後述する模様データ作成制御により作成された模様データを一時的に記憶する作成模様データメモリ１９ａ（これが模様データ記憶手段に相当する）と、その模様データから作成された表示データを一時的に記憶する作成表示データメモリ１９ｂ（これが表示データ記憶手段に相当する）等が設けられている。
【００３３】
次に、制御装置１５で実行される模様データ作成制御のルーチンについて、図４フローチャートに基づいて説明する。但し、図中の符号Ｓｉ（ｉ＝１１、１２、１３・・・）は各ステップである。ここで、図１０に示すメニュー画面表示中に表示された「マイイラスト作成キー」４１が操作されると、マイイラスト作成モードが設定され、この模様データ作成制御が開始される。
【００３４】
メニュー画面には、予め模様データを記憶している複数の模様（図柄模様や文字模様）を個別に選択する複数の模様キー４０、マイイラスト作成キー４１、既に作成してフラッシュメモリ２０に記憶させておいた模様データを呼び出す作成模様読み出しキー４２、その他複数の機能キー等が表示されている。
【００３５】
そこで、マイイラスト作成キー４１が操作され、マイイラスト作成モードの設定によりこの制御が開始されると、先ず、「マイイラスト作成画面」がディスプレイ１０に表示される（Ｓ11）。この場合には、マイイラスト作成画面には、例えば図１１に示すように、模様作成領域４５が上側に表示されるとともに、種々の機能を指令する機能指令領域４６が下側に表示される。この場合、基本的には、縦向き表示キー６４を操作したのと同様に、縦向き表示モードが設定されている。
【００３６】
模様作成領域４５には、上スクロールキー５２及び下スクロールキー５３が同時に表示されるとともに、細長い帯状のキャンパス５０（これが模様入力エリアに相当する）の先頭部分が縦向きで、しかもその縮尺率が１００％で表示され、キャンパス５０の外縁に寸法目盛り（０mm、５mm、１０mm、１５mm、２０mm、・・・）が５mm単位で表示される。この場合、キャンパス５０の針振り方向（図において左右方向）の幅を、ミシンＭ針振り機構による針振り可能な幅（約７mm) に対応させて表示されている。
【００３７】
次に、タッチペン８を用いた針落ち点入力が可能であることをユーザーに報知するタッチ入力マーク５１がキャンパス５０内に表示される（Ｓ12）。例えば、図１１に示すように、キャンパス５０の左側上部にタッチ入力マーク５１が表示される。次に、タッチペンランプ９が点灯される（Ｓ13）。それ故、ユーザーは、タッチ入力マーク５１の表示やタッチペンランプ９の点灯により、タッチペン８による模様の針落ち点入力が可能であることを容易に認識することができる。そこで、ユーザーは、ペン保管部２ａからタッチペン８を取り外す。
【００３８】
次に、ユーザーにより、タッチペン８を用いてキャンパス５０内部が押圧操作された場合に（Ｓ14：Yes ，Ｓ15：Yes ）、模様形成のための最初の針落ち点ｐ１が入力された場合には（Ｓ16：Yes ）、タッチペン８により押圧されたキャンパス５０内部のプロット位置に、マーカーの機能を有するエンピツ５４が表示され（Ｓ17）、Ｓ14に戻る。例えば、図１１に示すように、押圧操作された最初の針落ち点ｐ１をエンピツ５４の先で指示するようにエンピツ５４が表示される。
【００３９】
その後、セットキー６０が操作された場合（Ｓ19：Yes ）、針落ち点のための入力位置が確定するため、模様データ作成処理（図５参照）が実行される（Ｓ20）。この制御が開始されると、先ず、キャンパス５０内部のプロット位置からキャンパス５０上の座標位置が演算で求められる（Ｓ41）。ここで、キャンパス５０の左上がキャンパス５０上の原点位置であり、しかも縫製処理する場合の原点位置に対応している。
【００４０】
次に、キャンパス５０上の座標位置に対応する針落ち点（縫製開始位置）が演算により求められる（Ｓ42）。次に、針落ち点を連続させた模様データが作成され、作成模様データメモリ１９ａに記憶され（Ｓ43）、模様データ作成制御にリターンする。次に、模様データ作成制御において、作成模様データメモリ１９ａに記憶された模様データに基づいて、つまり作成された針落ち点の位置データから、タッチパネル１１を介して入力された模様をディスプレイ１０に表示させる表示データが作成される（Ｓ21）。
【００４１】
次に、入力模様の縫目線が黒で表示され（Ｓ22）、Ｓ14に戻る。但し、最初の針落ち点ｐ１の入力時には、針落ち点ｐ１だけが黒点で表示される。ところで、タッチペン８の押圧操作により、キャンパス５０内部において、２針目以降の針落ち点（ｐ２，ｐ３・・・）が夫々押圧操作された場合には（Ｓ14・Ｓ15：Yes ，Ｓ16：No）、プロット位置にエンピツ５４が表示されるとともに、１つ前の針落ち点から今回のプロット位置まで直線の仮想縫目線が赤で表示される（Ｓ18）。
【００４２】
例えば、図１２に示すように、第３針目の針落ち点ｐ３が押圧操作された場合、第１針目の針落ち点ｐ１から第２針目の針落ち点ｐ２までの入力模様の縫目線が黒で表示されており、第２針目の針落ち点ｐ２から第３針目の針落ち点ｐ３までの入力模様の縫目線が赤（点線で図示）で表示される。
【００４３】
その後、セットキー６０が操作された場合（Ｓ19：Yes ）、針落ち点指示が確定するため、前述したように模様データ作成処理が実行され（Ｓ20）、作成された表示データに基づいて入力模様の縫目線が黒で表示される（Ｓ22）。
【００４４】
次に、タッチペン８で模様作成領域４５内のキャンパス５０外をプロットされた場合には（Ｓ23：Yes ）、キャンパス５０の第１スクロール処理（図６参照）が実行される（Ｓ24）。この制御が開始されると、先ず、キャンパス５０外のほぼ上半部分の何れかがプロットされた場合には（Ｓ51）、表示中のキャンパス５０部分の約１／５が上方にスクロールされ（Ｓ52）、この処理を終了して模様データ作成制御にリターンする。
【００４５】
例えば、図１３に示すように、表示中のキャンパス５０部分の約１／５として、約５mm分だけ上方スクロールされる。しかし、キャンパス５０外のほぼ下半部分の何れかがプロットされた場合には（Ｓ51）、表示中のキャンパス５０部分の約１／５が下方にスクロールされ（Ｓ53）、この処理を終了して模様データ作成制御にリターンする。
【００４６】
次に、キャンパス５０に表示されているスクロールキー５２，５３が押圧操作された場合には（Ｓ25：Yes ）、キャンパス５０の第２スクロール処理（図７参照）が実行される（Ｓ26）。この制御が開始されると、先ず、上スクロールキー５２が操作された場合には（Ｓ61）、表示中のキャンパス５０部分の約１／３が上方にスクロールされ（Ｓ62）、この処理を終了して模様データ作成制御にリターンする。
【００４７】
しかし、下スクロールキー５３が操作された場合には（Ｓ61）、表示中のキャンパス５０部分の約１／３が下方にスクロールされ（Ｓ63）、この処理を終了して模様データ作成制御にリターンする。ところで、模様データ作成制御において、拡大キー６６（これが拡大指令入力部に相当する）が押圧操作された場合には（Ｓ27：Yes ）、キャンパス５０の拡大処理（図８参照）が実行される（Ｓ28）。
【００４８】
この制御が開始されると、先ずキャンパス５０をその中心線に対して左右に拡大する演算が実行され（Ｓ71）、次に、キャンパス５０をその最上部を原点にして上下に拡大演算が実行され（Ｓ72）、最終的に、拡大されたキャンパス５０が模様作成領域４５に表示され（Ｓ73）、模様データ作成制御にリターンする。
【００４９】
一方、模様データ作成制御において、縮小キー６７（これが縮小指令入力部に相当する）が押圧操作された場合には（Ｓ29：Yes ）、キャンパス５０の縮小処理（図９参照）が実行される（Ｓ30）。この制御が開始されると、先ずキャンパス５０をその中心線に対して左右に縮小する演算が実行され（Ｓ81）、次に、キャンパス５０をその最上部を原点にして上下に縮小演算が実行され（Ｓ82）、最終的に、縮小されたキャンパス５０が模様作成領域４５に表示され（Ｓ83）、模様データ作成制御にリターンする。
【００５０】
例えば、図１２の模様作成途中で、拡大キー６６が操作された場合には、図１４に示すように、左右方向及び上下方向に夫々拡大されたキャンパス５０のうちの、表示可能な部分が模様作成領域４５に表示される。次に、その他の機能キーとして、例えば、横向き表示キー６５が押圧操作された場合には（Ｓ31：No）、操作された機能キーに対応する処理として、横向きに方向変換したキャンパス５０が表示（図１５参照）される（Ｓ33）。
【００５１】
模様のための全ての針落ち点入力を終了し、縫製キー６２が押圧操作された場合には（Ｓ31：Yes ）、縫製処理が実行される（Ｓ32）。この縫製処理においては、作成模様データメモリ１９ａに記憶されている作成された模様データに基づいて、針棒の上下動や針振りに同期させて全回転釜が駆動され、作成したイラスト模様が縫製される。
【００５２】
ところで、タッチペン８による押圧操作を介して模様のための針落ち点を入力可能な場合であっても、従来と同様に、複数のカーソル移動キー６１を組み合わせて操作することにより、エンピツ５４を移動させて針落ち点を入力することもできる。また、記憶保存キー６３を操作することで、作成した模様データや表示データをフラッシュメモリ２０に記憶させることができる。
【００５３】
ここで、針振り機構と針棒駆動機構と送り歯駆動機構等から縫製機構が構成されている。模様データ作成制御のＳ２０が模様データ作成手段に相当し、Ｓ２１が表示データ作成手段に相当し、Ｓ１１が模様入力制御手段に相当する。液晶ディスプレイ１０やタッチパネル１１に有する複数の操作キー等で操作手段が構成されている。
【００５４】
このように、ディスプレイ１０上にタッチパネル１１を設け、マイイラスト作成画面において、タッチパネル１１上でキャンパス５０の内部をタッチペン８で押圧操作して、模様のための複数の針落ち点をプロットするだけで、針落ち点入力が可能になるため、模様を構成する複数の針落ち点の入力操作の簡単化を図ることができる。
【００５５】
また、模様データ作成制御により、模様の針落ち点を入力すると、針落ち点の位置データから模様データを自動的に作成することができ、しかも、針落ち点の位置データから表示データを自動的に作成することができ、入力模様のディスプレイへの表示も行うことができる。
【００５６】
また、模様データ作成処理で作成された模様データを記憶する作成模様データメモリ１９ａと、表示データ作成処理で作成された表示データを記憶する作成表示データメモリ１９ｂとを備えたので、作成した模様の模様データや表示データを夫々専用の記憶用メモリ１９ａ，１９ｂに確実に記憶しておくことができるため、必要に応じて読み出した表示データに基づく模様の表示を可能にでき、しかも、読み出した縫製データに基づく模様の縫製を可能にすることができる。
【００５７】
また、ディスプレイ１０にキャンパス５０（模様入力エリア）を表示させると共にそのキャンパス５０の外縁に寸法目盛りを表示させるようにしたので、キャンパス５０に入力する模様の大きさを、キャンパス５０や寸法目盛りに基づいて、容易に確認することができる。
【００５８】
また、機能指令領域４６に、キャンパス５０を拡大させる指令を入力する拡大キー６６と、キャンパス５０を縮小させる指令を入力する縮小キー６７とを有するので、入力する模様のサイズに応じて、拡大キー６６によりキャンパス５０を拡大でき、又は縮小キー６７によりキャンパス５０を縮小でき、模様の大小に関わらず、模様入力に際しての操作性を高めることができる。
【００５９】
また、キャンパス５０の針振り方向の幅を、針振り可能幅に対応させて表示させるので、模様の針振り側の幅寸法を、ディスプレイ１０上で容易に認識することができ、模様入力に際しての操作性を高めることができる。
【００６０】
また、電子制御ミシンＭの脚柱部２の表面部の近くの部位に、タッチペン８を差し置き可能なペン保管部２ａと、タッチペン８使用時に点灯するタッチペンランプ９とを設けたので、タッチペン８を常にはペン保管部２ａに保管しておくことができ、タッチペン８を使用する際には、タッチペンランプ９の点灯により容易に認識することができる。
【００６１】
次に、前記実施例の変更形態について説明する。
【００６２】
１〕タッチパネル１１は、アナログ検出方式以外に、印刷配線による接点方式等、各種の検出方式を採用したタッチパネル１１であってもよい。
【００６３】
２〕タッチペンランプ９を点滅させて、タッチペン８を使用できることをユーザーに報知するようにしてもよい。
【００６４】
３〕ペン保管部を、タッチペンランプ９の近傍の脚柱部２の前面に設け、タッチペン８の取り外しの操作性を高めるようにしてもよい。
【００６５】
４〕タッチペンランプ９に代えて、タッチ入力マーク５１を点滅させたり、メッセージ「タッチペン入力可能」を表示させるようにしてもよい。
【００６６】
５〕本発明は以上説明した実施の形態に限定されるものではなく、当業者でれば、本発明の趣旨を逸脱しない範囲で、前記実施形態に種々の変更を付加して実施することができ、本発明はそれらの変更形態をも包含するものである。
【図面の簡単な説明】
【００６７】
【図１】本発明の実施例に係る電子制御ミシンの斜視図である。
【図２】電子制御ミシンの右側面図である。
【図３】電子制御ミシンの制御系のブロック図である。
【図４】模様データ作成制御のフローチャートである。
【図５】模様データ作成処理制御のフローチャートである。
【図６】キャンパスの第１スクロール処理制御のフローチャートである。
【図７】キャンパスの第２スクロール処理制御のフローチャートである。
【図８】キャンパスの拡大処理制御のフローチャートである。
【図９】キャンパスの縮小処理制御のフローチャートである。
【図１０】メニュー画面の表示例を示す図である。
【図１１】マイイラスト作成画面の表示例を示す図である。
【図１２】模様作成中の図１１相当図である。
【図１３】スクロール状態の図１１相当図である。
【図１４】拡大状態の図１１相当図である。
【図１５】横向き状態の図１１相当図である。
【符号の説明】
【００６８】
Ｍ      電子制御ミシン
２ａ    ペン保管部
８      タッチペン
９      タッチペンランプ
１１    タッチパネル
１５    制御装置
１８    ＲＯＭ
１９    ＲＡＭ
１９ａ  作成模様データメモリ
１９ｂ  作成表示データメモリ
４６    機能指令領域
５０    キャンパス
【図１】
2006043231.tif 000003
【図２】
2006043231.tif 000004
【図３】
2006043231.tif 000005
【図４】
2006043231.tif 000006
【図５】
2006043231.tif 000007
【図６】
2006043231.tif 000008
【図７】
2006043231.tif 000009
【図８】
2006043231.tif 000010
【図９】
2006043231.tif 000011
【図１０】
2006043231.tif 000012
【図１１】
2006043231.tif 000013
【図１２】
2006043231.tif 000014
【図１３】
2006043231.tif 000015
【図１４】
2006043231.tif 000016
【図１５】
2006043231.tif 000017